(57)【特許請求の範囲】
【請求項１】
アウトボード側端の外周に車輪取付用のフランジを有するハブ輪、および前記ハブ輪のインボード側端の外周に嵌合した内輪からなる内方部材と、この内方部材に形成された複列の軌道面に対向する複列の軌道面を有する外方部材と、両列の対向する軌道面間に介在した複列の転動体と、前記内方部材の回転を検出する回転センサとを有し、車体に対して車輪を回転自在に支持する回転センサ付車輪用軸受装置であって、
前記車輪取付用のフランジが外周の円周方向複数箇所に切欠状凹み部を有し、
前記回転センサが、円周方向に交互に磁極が形成された多極磁石を有する磁気エンコーダからなり前記内方部材に設けられた環状のパルサリングと、このパルサリングの前記多極磁石に対向して外方部材に設けられた環状の磁気ヨークにコイルを内蔵した環状のセンサ部とでなり、これらパルサリングとセンサ部との相対回転によって前記コイルに誘起される発電電圧により回転を検出するものであり、前記外方部材にはインボード側の端部全体を覆うキャップが取付けられ、このキャップの内側に前記回転センサが配置され、前記回転センサの前記センサ部はこのセンサ部の出力を取り出すコネクタと一体成形され、この一体成形品が前記キャップに接着されており、前記回転センサは、前記多極磁石に対して前記センサ部が軸方向に対向するアキシアル型であって、前記センサの前記環状の磁気ヨークは、軸方向に向けて開口する溝形の断面形状のリング部材の外径部に、外径部および側面部分からなる断面Ｌ字状のリング部材の外径部を嵌合させ、かつ前記溝形の断面形状のリング部材の内径部に、内径部および側面部分からなる断面Ｌ字状のリング部材の内径部を嵌合させた断面が略方形のリング体であり、前記多極磁石と対向する側面部分が、前記各断面Ｌ字状のリング部材の前記側面部分であって、これら側面部分が、互いに径方向に対向して延びる２組の櫛歯状の爪で形成されて、これら２組の各爪は円周方向に隙間を介して交互に配列され、１つの組の爪は、多極磁石対面における外周縁から内周縁に向けて内周縁近くまで延びており、他の１組の爪は、多極磁石対面における内周縁から外周縁に向けて外周縁近くまで延びていることを特徴とする回転センサ付車輪用軸受装置。
【請求項２】
請求項１において、前記各切欠状凹み部は、前記車輪取付用のフランジに設けられた複数のボルト孔の配列のピッチ円よりも内径側まで凹むものとした回転センサ付車輪用軸受装置。
【請求項３】
請求項１または請求項２において、内方部材の外周に形成された複列の軌道面のうち、アウトボード側の軌道面が、ハブ輪に直接形成された回転センサ付車輪用軸受装置。
【発明の詳細な説明】
【技術分野】
【０００１】
この発明は、自動車における従動輪用の回転センサ付車輪用軸受装置に関する。
【背景技術】
【０００２】
車輪用軸受装置において、アンチロックブレーキシステム（ＡＢＳ）の制御や、各種姿勢制御等のために、回転検出器を設けたものがある（例えば、特許文献１）。上記回転検出器としては、円周方向に交互に磁極が形成されたパルサリングと、このパルサリングの円周方向の１点に対向するホール素子等のセンサ部とでなるものが用いられている。この他にパッシブ型の回転センサとして、アニューラ型（環状型）としたものも提案されている（例えば特許文献２）。このアニューラ型の回転センサは、多極磁石を有する磁気エンコーダと、前記多極磁石に対向するコイルを内蔵した磁気ヨークからなり、磁気エンコーダと磁気ヨークの相対回転で誘起される発電電圧で回転を検出するものである。
【０００３】
また、自動車用部品では、燃費の向上等のために軽量化が強く望まれており、車輪用軸受装置においても軽量化が求められている。軽量化を図った例としては、ハブ輪の車輪取付用のフランジの外周部分における各ボルト孔間に切欠状凹み部を設けたものがある（例えば、特許文献３）。
【特許文献１】特開２００３−８９３０２号公報
【特許文献２】特開平５−２６４５６２号公報
【特許文献３】特開２００３−９４９０５号公報
【発明の開示】
【発明が解決しようとする課題】
【０００４】
小型車、例えば排気量が１０００ｃｃクラスの乗用車や軽乗用車などでは、軽量化が強く求められおり、また車軸にかかるトルクが小さいので車軸も細いものとなり、これに伴い車輪用軸受装置のハブ輪も小径に設定されている。そのため、多極磁石からなるパルサリングも小径となり、上記のような円周方向の１点でホール素子等により検出する回転センサでは、十分なセンサ出力を得ることが難しい。センサ出力が小さいと、回転検出の信頼性が低下する。センサ出力を大きく得るためには、磁極数を減らすことが必要となり、その場合は回転検出精度（分解能）が低下する。
【０００５】
また、車輪用軸受装置の軽量化について、上記特許文献３のようにハブ輪のフランジに切欠状凹み部を設けたものは、ある程度の軽量化が得られるが、小型車においては、作用する荷重やトルクに比べて、ハブ輪の材料の無駄が多く、満足できるまでの軽量化が得られていない。
【０００６】
この発明の目的は、小型車用等のハブ輪外径の小さな車輪用軸受装置においても、回転検出精度を低下させることなく、十分な出力を得て信頼性の高い回転検出が行え、またハブ輪の強度，寿命を確保しつつ、軽量化をより高めることのできる車輪用軸受装置を提供することである。
【課題を解決するための手段】
【０００７】
この発明の回転センサ付車輪用軸受装置は、アウトボード側端の外周に車輪取付用のフランジを有するハブ輪、および前記ハブ輪のインボード側端の外周に嵌合した内輪からなる内方部材と、この内方部材に形成された複列の軌道面に対向する複列の軌道面を有する外方部材と、両列の対向する軌道面間に介在した複列の転動体と、前記内方部材の回転を検出する回転センサとを有し、車体に対して車輪を回転自在に支持する回転センサ付車輪用軸受装置であって、次の構成としたことを特徴とする。
前記車輪取付用のフランジが外周の円周方向複数箇所に切欠状凹み部を有するものとする。前記回転センサは、円周方向に交互に磁極が形成された多極磁石を有する磁気エンコーダからなり前記内方部材に設けられた環状のパルサリングと、このパルサリングに対向して外方部材に設けられ環状の磁気ヨークにコイルを内蔵した環状（すなわちアニューラ型）のセンサ部とでなり、これらパルサリングとセンサ部との相対回転によって前記コイルに誘起される発電電圧により回転を検出するものとする。前記外方部材にはインボード側の端部全体を覆うキャップが取付けられ、このキャップの内側に前記回転センサが配置され、前記回転センサの前記センサ部はこのセンサ部の出力を取り出すコネクタと一体成形され、この一体成形品が前記キャップに接着されている。
前記回転センサは、前記多極磁石に対して前記センサ部が軸方向に対向するアキシアル型であって、前記センサの前記環状の磁気ヨークは、軸方向に向けて開口する溝形の断面形状のリング部材の外径部に、外径部および側面部分からなる断面Ｌ字状のリング部材の外径部を嵌合させ、かつ前記溝形の断面形状のリング部材の内径部に、内径部および側面部分からなる断面Ｌ字状のリング部材の内径部を嵌合させた断面が略方形のリング体であり、前記多極磁石と対向する側面部分が、前記各断面Ｌ字状のリング部材の前記側面部分であって、これら側面部分が、互いに径方向に対向して延びる２組の櫛歯状の爪で形成されて、これら２組の各爪は円周方向に隙間を介して交互に配列され、１つの組の爪は、多極磁石対面における外周縁から内周縁に向けて内周縁近くまで延びており、他の１組の爪は、多極磁石対面における内周縁から外周縁に向けて外周縁近くまで延びている。
【０００８】
この構成によると、ハブ輪における車輪取付用のフランジが外周の複数箇所に切欠状凹み部を有するものとしているので、ハブ輪において強度上で過剰な箇所を少なくできることとなり、強度，寿命を確保しつつ、ハブ輪の軽量化を進めることができる。
また、回転センサは、環状部品であるパルサリングと、これに対向する環状のヨークを持つセンサ部とでなる環状型としたため、ハブ輪が小径であっても、回転センサの出力を十分に大きく得ることができる。そのため、信頼性の高い回転検出が行え、また出力を高めるために分解能を落とす必要がなく、回転検出精度も高いものとできる。
このため、小型車用等のハブ輪外径の小さな車輪用軸受装置においても、回転検出精度を低下させることなく、十分な出力を得て信頼性の高い回転検出が行え、またハブ輪の強度，寿命を確保しつつ、軽量化をより高めることのできる。
【０００９】
前記各切欠状凹み部は、前記車輪取付用のフランジに設けられた複数のボルト孔の配列のピッチ円よりも内径側まで凹むものとしても良い。このように深く凹むものとすることで、ハブ輪において強度上で過剰な箇所をより少なくできることとなり、ハブ輪の軽量化を高度に進めることができる。切欠状凹み部を前記ボルト孔のピッチ円よりも内径側まで凹ませても、切欠状凹み部の形状等により、強度確保が図れる。
【００１０】
なお、切欠状凹み部の軸受軸心方向に沿う底面の断面形状は、例えばインボード側へ次第に凹みが深くなる断面形状としても良く、また軸心に平行な断面形状としても良い。ハブ輪の車輪取付用のフランジにおけるアウトボード側の面は、ブレーキパイロット等が設けられる部分であり、ブレーキパイロット径がある程度大きいため、切欠状凹み部を深く形成することは難しいが、上記車輪用取付用のフランジのインボード側の面は、比較的に余裕があり、切欠状凹み部をインボード側でブレーキパイロット径よりも内径側にすることで、より軽量化を図ることができる。
【００１１】
前記回転センサは、パルサリングとして、円周方向に交互に磁極だ形成された磁気エンコーダを用いたものであるため、別の磁石を設けることなく、交番磁界が形成され、コイル電圧の誘起による回転検出が行える。
【００１３】
この発明において、内方部材の外周に形成された複列の軌道面のうち、アウトボード側の軌道面は、ハブ輪に直接形成されたものであっても良い。また、別体の内輪をハブ輪に圧入し、その内輪にアウトボード側の軌道面を形成しても良い。アウトボード側の軌道面をハブ輪に直接形成した場合は、内輪を嵌合するためにハブ輪の外径を小径とする必要がなくて、ハブ輪の断面寸法を大きくでき、そのため、前記切欠状凹み部を深く形成しても、ハブ輪の強度確保が容易であり、軽量化が図り易い。
【発明の効果】
【００１４】
この発明の回転センサ付車輪用軸受装置は、ハブ輪の車輪取付用フランジの外周に複数の切欠状凹み部を有し、回転センサを、内方部材に設けられた環状のパルサリング、およびこのパルサリングに対向して外方部材に設けられ環状の磁気ヨークにコイルを内蔵した環状のセンサ部とでなるものとし、前記外方部材にはインボード側の端部全体を覆うキャップが取付けられ、このキャップの内側に前記回転センサが配置され、前記回転センサの前記センサ部はこのセンサ部の出力を取り出すコネクタと一体成形され、この一体成形品が前記キャップに接着されているため、小型車用等のハブ輪外径の小さな車輪用軸受装置においても、回転検出精度を低下させることなく、十分な出力を得て信頼性の高い回転検出が行え、またハブ輪の強度，寿命を確保しつつ、軽量化を図ることができる。
前記各切欠状凹み部を、前記車輪取付用のフランジに設けられた複数のボルト孔の配列のピッチ円よりも内径側まで凹むものとした場合は、強度，寿命を確保しつつ、軽量化をより一層高めることができる。
【発明を実施するための最良の形態】
【００１５】
この発明の第１の実施形態を図１ないし図４と共に説明する。この実施形態にかかる回転センサ付車輪用軸受装置は複列のアンギュラ玉軸受形式のものであって、従動輪支持用である。なお、この明細書において、車両に取付けた状態で車両の車幅方向外側寄りとなる側をアウトボード側と言い、車幅方向の中央寄りとなる側をインボード側と呼ぶ。図１では左側がアウトボード側、右側がインボード側となる。
【００１６】
この回転センサ付車輪用軸受装置は、ハブ輪２およびこのハブ輪２のインボード側端の外周に嵌合した内輪３からなる内方部材１と、ハブ輪２および内輪３の外周に形成された軌道面２ａに対向する複列の軌道面４ａを内周に有する外方部材４と、両列の対向する軌道面２ａ，４ａ間に介在した転動体５を備える。各列の軌道面２ａ，４ａの接触角は背面合わせとなるように形成されている。
【００１７】
ハブ輪２は、アウトボード側端の外周に車輪取付用のフランジ１２を有する。ハブ輪２は、インボード側の端部の外周に内輪嵌合面２ｂを有し、この内輪嵌合面２ｂに上記内輪３が嵌合する。ハブ輪２の内輪嵌合面２ｂのさらにインボード側端は、内輪３の幅面を押し付けるフランジ状の加締部２ｃとされており、この加締部２ｃにより内輪３が軸方向に締め付け固定される。加締部２ｃは、図１に破線で示すように、ハブ輪２の内輪嵌合面２ｂよりも端部側に突出した筒部２ｃ’を外径側へ加締めて形成される。転動体５はボールからなり、各列毎に保持器６で保持されている。外方部材４のアウトボード側端部には、この外方部材４と、ハブ輪２および内輪３からなる内方部材１との間に形成される環状空間のアウトボード側端部を密閉するオイルシール等の接触式のシール８が取付けられている。
【００１８】
外方部材４は、外径面に車体取付用のフランジ４ｂが設けられ、フランジ４ｂの外周部に複数のボルト挿通孔７が周方向に分配して形成されている。このフランジ４ｂは、図２のように、その外周部のうちボルト挿通孔７の近傍を除く部分を削除して、各ボルト挿通孔７の形成部だけが外径側に放射状に突出する形状に形成されている。このフランジ４ｂのボルト挿通孔７を貫通するナックルボルト（図示せず）により、車体側の懸架装置におけるナックル（図示せず）にフランジ４ｂが取付けられる。図１におけるハブ輪２は図２におけるＸ−Ｏ−Ｘ矢視断面図を示し、図１における外方部材４は図２におけるＸ−Ｏ−Ｙ矢視断面図を示す。
【００１９】
ハブ輪２のフランジ１２は、図２に示すように、外周の円周方向複数箇所に切欠状凹み部１２ｂを有し、切欠状凹み部１２ｂとならない残余部が放射状に延びてそれぞれ先端にボルト挿通孔１３の形成された複数本のリブ部１２ａとされる。前記切欠状凹み部１２ｂは、その底部がアウトボード側端よりもインボード側端の方が深く凹んだ形状とされている。この切欠状凹み部１２ｂの底部の最深部は、車輪取付用のフランジ１２に設けられた複数のボルト孔１３の配列のピッチ円ＰＣＤよりも内径側に達し、インボード側ではフランジ１２のアウトボード側にあるブレーキロータ用のパイロット部１２ｃ（図１）の径よりも内径側に達している。この切欠状凹み部１２ｂの最も深い径方向位置は、ハブ輪２の軌道面２ａの肩部または肩部の付近まで達している。また、切欠状凹み部１２ｂの底部は、インボード側端において、各リブ部１２ａ間の円周方向の中央が最も深く、リブ部１２ａに近づくに従って浅くなる形状とされている。ハブ輪２のフランジ１２には図１に示すように、そのボルト挿通孔１３を貫通するハブボルト１４、およびこのハブボルト１４に螺合するハブナット（図示せず）により、ディスクブレーキ装置等のブレーキロータと車輪（いずれも図示せず）とが重ねて取付けられる。
【００２０】
なお、外方部材４のフランジ４ｂを車体に取付ける際には、図２のようにハブ輪２のフランジ１２の隣合うリブ部１２ａ，１２ａ間にフランジ４ｂのボルト挿通孔７が対峙するようにハブ輪２を回転させて、隣合うリブ部１２ａ，１２ａ間から工具を挿通してフランジ４ｂのボルト締結を行う。
【００２１】
外方部材４には、図１に示すようにこの軸受装置のインボード側の端部全体を覆うキャップ２１が取付けられ、このキャップ２１の内側に、外方部材４と内方部材１の相対回転によって発電する環状の回転センサ１５が配置されている。上記キャップ２１により、外部から軸受装置内への浸水が防止される。
【００２２】
キャップ２１は、外径側に突出する鍔部２１ａを有する円筒状のものであり、一端部はコネクタ嵌合部２１ｂを除き閉鎖された端面部２１ｃとされている。キャップ２１は、その鍔部２１ａを治具で軸方向に押すことにより、開放側の端部を外方部材４の内径面に嵌合させると共に、鍔部２１ａを外方部材４の端面に押し付けて外方部材４に取付けられる。キャップ鍔部２１ａの側面は、外方部材４の端面に密着させるために平坦面とされている。
【００２３】
回転センサ１５は、アニューラ型、つまり環状型のものである。回転センサ１５は、内方部材１に設けられた環状の被検出部であるパルサリング１７と、外方部材４に設けられてパルサリング１７を検出するセンサ部１６とで構成される。センサ部１６は、環状の磁気ヨーク２２にコイル２０を内蔵したものである。
【００２４】
パルサリング１７は、図３に示すように、芯金１８の表面に周方向に沿って多極磁石１９を設けてなる磁気エンコーダとされている。芯金１８は例えば磁性体からなる断面Ｌ字状のリング部材とされ、その立板部１８ｂの側面に、例えばゴム磁石とされた前記多極磁石１９が加硫接着等で固着される。多極磁石１９は、円周方向に多数の磁極Ｎ，Ｓが所定のピッチで交互に並ぶディスクからなる。多極磁石１９は、ゴム磁石の他に、プラスチック磁石や焼結磁石であっても良く、またフェライト等の磁石材からなるものであっても良い。パルサリング１７は、その芯金１８の円筒部１８ａを内輪３の外径面に圧入嵌合させることにより、内輪３におけるインボード側端部に取付けられる（図１参照）。
【００２５】
センサ部１６はアキシアル型のものであって、図１に示すように前記パルサリング１７の多極磁石１９に対して軸方向に対向する位置にコイル２０を内蔵した環状の部材からなる。センサ部１６は、静止側の部材である外方部材４に、キャップ２１を介して取付けられる。
磁気ヨーク２２は、図４（Ｂ）に拡大断面図で示すように、磁性体からなる断面Ｌ字状の２つのリング部材２２ａ，２２ｂと、同じく磁性体からなり軸方向に向けて開口する溝形の断面形状とされた１つのリング部材２２ｃとを互いに嵌合させることで、断面が略方形のリング体とされている。すなわち、リング部材２２ａの外径部２２ａａをリング部材２２ｃの外径部２２ｃａで互いに隙間ができないように嵌合させると共に、リング部材２２ｂの内径部２２ｂａをリング部材２２ｃの内径部２２ｃｂで互いに隙間ができないように嵌合させることで、断面が略方形のリング体とされている。このようにリング部材２２ａ〜２２ｃの嵌合部に隙間ができないようにすることで、磁気ヨーク２２の内部の磁気回路における前記嵌合部での磁気抵抗が小さく抑えられる。これら３つのリング部材２２ａ〜２２ｃは、嵌合によらず、接着により組み立てても良く、また樹脂などで固めることにより組み立てても良い。
【００２６】
２つのリング部材２２ａ，２２ｂの前記多極磁石１９と対面する側面部分には、図４（Ａ）に正面図で示すように、互いに径方向に対向して延びる櫛歯状の爪２３ａ、２３ｂが形成され、この２組の各爪２３ａ，２３ｂは円周方向に隙間を介して所定のピッチで交互に配列され、その配列ピッチが対面する多極磁石１９の磁極Ｎ，Ｓと同じ配列ピッチとされている。すなわち、磁気ヨーク２２の外周側に配置されるリング部材２２ａの爪２３ａは多極磁石対面側における外周縁から内周縁に向けて内周縁近くまで延びており、磁気ヨーク１６の内周側に配置されるリング部材２２ｂの爪２３ｂは、内周縁から外周縁に向けて外周縁近くまで延びている。このように各爪２３ａ，２３ｂは、一方の周縁から他方の周縁近くまで延びているので、多極磁石１９の磁極Ｎ，Ｓと対向する面積を大きくすることができ、それだけ磁気ヨーク１６に導かれる磁束を多くすることができる。
【００２７】
また、磁気ヨーク２２には、図１に示すように、その内部から外側に向けてコネクタ２４の金属製コネクタピン２５が延びており、このコネクタピン２５の内端にセンサ部１６内のコイル２０が接続されている。センサ部１６はコネクタ２４と一体成形し、この一体成形品が前記キャップ２１に接着されている。図４（Ｂ）に示すように、磁気ヨーク１６内のコイル２０はコイルボビン２６に巻かれており、このコイルボビン２６にコネクタピン２５が一体成形により取付けられている。前記コネクタ２４を介して回転センサ１５が外部のＥＣＵ（電気制御ユニット）と接続される。
【００２８】
前記回転センサ１５は、車輪と一体に内方部材１が回転するときに、被検出部であるパルサリング１７と磁気ヨーク２２を有するセンサ部１６との相対回転により、磁気ヨーク２２内のコイル２０に車輪回転数に比例した周波数の電圧が誘導され、これが回転信号として出力されるものである。その出力はコネクタ２４を介して外部に取り出される。
【００２９】
この構成の回転センサ付車輪用軸受装置によると、ハブ輪２における車輪取付用のフランジ１２が外周の円周方向複数箇所に切欠状凹み部１２ｂを有し、これら切欠状凹み部１２ｂが車輪取付用のフランジ１２に設けられた複数のボルト孔１３の配列のピッチ円ＰＣＤよりも内径側まで凹むものとしているので、ハブ輪２において強度上で不要な箇所をより少なくできることとなり、強度，寿命を確保しつつ、かつ小径化を抑制しつつハブ輪２を軽量化できる。
また、回転センサ１５は、被検出部となるパルサリング１７、およびセンサ部１６の磁気ヨーク２２が共に環状とされたものであるため、ハブ輪２が小径であっても、回転センサ１５の出力を十分に大きく得ることができる。そのため、信頼性の高い回転検出が行える。また、出力を高めるために分解能を落とす必要がなく、回転検出精度も高いものとできる。
【００３０】
図５は、参考提案例を示す。この提案例の回転センサ付車輪用軸受装置は、図１に示した第１の実施形態において、アキシアル型の回転センサ１５をラジアル型の回転センサ１５Ａに置き換え、かつそのセンサ部１６Ａ側に磁石２８を設けたものである。この場合の回転センサ１５Ａもアニューラ型のものであって、内方部材１に取付けられる環状の被検出部であるパルサリング１７Ａと、キャップ２１を介して外方部材４に取付けられる環状のセンサ部１６Ａとでなる。センサ部１６Ａは、コイル２０を内蔵した環状の磁気ヨーク２７と磁石２８とでなる。パルサリング１７Ａは、円周方向に沿って磁気特性が変化する磁性体のリングである。
【００３１】
パルサリング１７Ａは、大径部１７Ａａと小径部１７Ａｂからなる断面Ｚ字状とされ、その小径部１７Ａｂに、円周方向に等間隔で並べた複数の窓３０が形成されている。これらの窓３０によって、円周方向に沿う磁気特性が変化する。パルサリング１７Ａは、大径部１７Ａａを内方部材１の内輪３の外径面に圧入嵌合することにより、ハブ輪２の端部から軸方向外方に張り出した状態で取付けられる。
【００３２】
センサ部１６Ａの一部構成品である磁気ヨーク２７は、パルサリング１７Ａの小径部１７Ａｂに対して径方向に対向する位置にコイル２０を内蔵した磁性体のリング部材である。センサ部１６Ａは、軸方向に向けて開口する溝形の断面形状とされた磁性体リング３５と断面Ｌ字状の磁性体リング３６とを、互いに対向するように向かい合わせに組み合わせることで、断面が略方形のリング体とされている。各磁性体リング３５，３６における上記パルサリング１７Ａの小径部１７Ａｂと対面する内周側部分には、互いに軸方向に対向して延びる櫛歯状の爪３５ａ，３６ａが形成され、この２組の各爪３５ａ，３６ａは円周方向に上記パルサリング１７Ａの窓３０と同じ配列ピッチで交互に配列されている。
【００３３】
この回転センサ１５Ａでは、第１の実施形態においてパルサリング１７側に多極磁石１９を設けていたのに代えて、一方向に着磁させた磁石２８が、各磁性体リング３５，３６で挟まれるように磁気ヨーク２７内に設置されている。磁石２８は円板状であっても、複数個を円周方向に並べて配置しても良い。
この実施形態において、磁気ヨーク２７内でのコイル２０の設置構造や、コイル２０とコネクタピン２５との接続構造、および回転センサ１５Ａ以外の部分の構成は、第１の実施形態の場合と同じである。
【００３４】
この構成の回転センサ付車輪用軸受装置においても、パルサリング１７Ａの取付けられた内方部材１が車輪と一体に回転すると、パルサリング１７Ａと磁気ヨーク２７との相対回転により、磁気ヨーク２７のコイル２０に車輪回転数に比例した周波数の電圧が誘導され、これが回転信号として磁気ヨーク２７から出力される。その出力はコネクタ２４を介して外部に取り出される。この構成の場合も、被検出部となるパルサリング１７Ａが円環状であり、かつセンサ部１６Ａの磁気ヨーク２７も環状であるため、ハブ輪２が小径であっても、回転センサ１５Ａより十分な出力が得られる。また、回転検出精度も高いものとできる。
また、この提案例においても、ハブ輪２の車輪取付用のフランジ１２には、第１の実施形態と同様に切欠状凹み部１２ｂが、車輪取付用のフランジ１２に設けられた複数のボルト孔１３の配列のピッチ円ＰＣＤよりも内径側まで凹むように深く形成されるように、インボード側ではブレーキロータ用のパイロット部１２ｃの径よりも内径側になるように形成されており、軽量化を高度に進めたものとできる。
【００３５】
なお、前記実施形態および参考提案例では、いずれもハブ輪２の外周にアウトボード側の軌道面２ａを形成したが、別体の内輪（図示せず）をハブ輪に圧入し、その内輪の外周にアウトボード側の軌道面を形成しても良い。転動体５は、ボールの他に、円すいころであっても良い。また、前記各実施形態では、従動輪を示したが、駆動輪タイプであってもよい。その場合、キャップ中央に貫通孔とハブ輪にセレーション孔を設けＣＶＪ等の駆動輪を挿入できるようにする。
【図面の簡単な説明】
【００３６】
【図１】この発明の第１の実施形態にかかる回転センサ付車輪用軸受装置の断面図である。
【図２】同軸受装置をインボード側から見た概略正面図である。
【図３】その回転センサにおける磁気エンコーダの一部を破断した斜視図である。
【図４】（Ａ）はその回転センサにおけるセンサ部の正面図、（Ｂ）は同センサ部の半部破断側面図である。
【図５】参考提案例にかかる回転センサ付車輪用軸受装置の部分断面図である。
【符号の説明】
【００３７】
１…内方部材
２…ハブ輪
２ａ…軌道面
３…内輪
４…外方部材
４ａ…軌道面
５…転動体
１２…車輪取付用のフランジ
１２ｂ…切欠状凹み部
１２ｃ…パイロット部
１３…ボルト孔
１５，１５Ａ…回転センサ
１６，１６Ａ…センサ部
１７，１７Ａ…パルサリング
１８…芯金
１９…多極磁石
２０…コイル
２２，２７…磁気ヨーク
２８…磁石
３０…窓
【図１】
0004675063.tif 000002
【図２】
0004675063.tif 000003
【図３】
0004675063.tif 000004
【図４】
0004675063.tif 000005
【図５】
0004675063.tif 000006